(57)【要約】【課題】ＨＤＤレコーダに記録された番組を重要度の低いものから順に消去または圧縮して残容量を増加させる。【解決手段】番組毎に重要度を設定し、ＨＤＤレコーダ１００の残容量の値が所定の基準値以下となったとき、ＨＤＤレコーダ１００に記録済みの番組を重要度の低いものから順に消去または再圧縮し、残容量を増加させる。再圧縮レートを予め設定しておくことにより、その再圧縮レートで再圧縮される。番組を消去または再圧縮する前後の所定のタイミングで、番組を消去または再圧縮することを示す電子メールを予め設定したメールアドレス宛に送信することによりユーザに通知する。【選択図】図１
2007074615.tif 000002
【特許請求の範囲】
【請求項１】
データを所定の記録媒体に記録する記録装置であって、
前記記録媒体に前記データを記録可能な残容量を検出する残容量検出手段と、
前記データ毎に重要度を設定する設定手段と、
前記残容量検出手段によって検出された前記残容量に応じて、前記記録媒体に記録済みの前記データを前記重要度の低いものから順に整理し、前記残容量を増加させるデータ整理手段と
を備えることを特徴とする記録装置。
【請求項２】
前記データ整理手段は、前記設定手段によって設定された前記重要度に応じて前記データを消去または再圧縮する
ことを特徴とする請求項１に記載の記録装置。
【請求項３】
前記データ整理手段は、前記データのうち前記重要度が最も低いものを消去する
ことを特徴とする請求項２に記載の記録装置。
【請求項４】
前記データ整理手段は、前記データのうち、前記重要度に基づいて消去はできないが再圧縮が可能なものを再圧縮する
ことを特徴とする請求項２に記載の記録装置。
【請求項５】
前記設定手段によって設定された前記重要度には圧縮レートが含まれ、前記データ整理手段は前記データを前記データに対応する前記圧縮レートに従って再圧縮する
ことを特徴とする請求項４に記載の記録装置。
【請求項６】
前記データ整理手段が前記データを消去または再圧縮する前または後の少なくともいずれかのタイミングで、前記データを消去または再圧縮することを通知するための電子メールを所定のメールアドレス宛に送信するメール送信手段をさらに備える
ことを特徴とする請求項１乃至５のいずれかに記載の記録装置。
【請求項７】
前記メール送信手段は、前記残容量検出手段によって前記記録媒体の残容量が所定の基準値以下となったとき、前記記録媒体の残容量が所定の基準値以下となったことを通知するための電子メールを所定のメールアドレス宛に送信する
ことを特徴とする請求項６に記載の記録装置。
【請求項８】
データを所定の記録媒体に記録する記録方法であって、
前記記録媒体に前記データを記録可能な残容量を検出する残容量検出ステップと、
前記データ毎に重要度を設定する設定ステップと、
前記残容量検出ステップにおいて検出された前記残容量に応じて、前記記録媒体に記録済みの前記データを前記重要度の低いものから順に整理し、前記残容量を増加させるデータ整理ステップと
を備えることを特徴とする記録方法。
【請求項９】
データを所定の記録媒体に記録する記録装置を制御する記録制御プログラムであって、
前記記録媒体に前記データを記録可能な残容量を検出する残容量検出ステップと、
前記データ毎に重要度を設定する設定ステップと、
前記残容量検出ステップにおいて検出された前記残容量に応じて、前記記録媒体に記録済みの前記データを前記重要度の低いものから順に整理し、前記残容量を増加させるデータ整理ステップとを前記記録装置に実行させる
ことを特徴とする記録制御プログラム。
【発明の詳細な説明】
【技術分野】
【０００１】
本発明は記録装置に関し、特に、映像や音声を記録する記録装置に関するものである。
【背景技術】
【０００２】
近年、テレビジョン放送の番組をハードディスクドライブ（ＨＤＤ：Hard Disk Drive）に録画可能なＨＤＤレコーダ、およびＨＤＤおよびＤＶＤ（Digital Versatile Disc）に録画可能なＨＤＤ＆ＤＶＤレコーダ等の録画装置が急速に普及しつつある。
これらの録画装置では、番組を所定の日時に１回だけ録画する録画予約設定や、毎日所定の時間帯に録画する毎日予約設定や、所定の曜日の所定の時間帯に録画する週間録画予約等の予約録画が可能である。また、これらの録画装置は、番組を長時間録画することができるため、録画した番組を視聴することなくそのままにしておく場合が増えている。
また、録画予約設定時にＨＤＤの残容量が不足している場合、例えば、「残容量不足のため予約録画設定ができません」等の警告メッセージが録画装置に接続された表示装置に表示されるようになっている。その場合、ユーザは、すでにＨＤＤに録画されている番組のデータ（番組データ）を消去して残容量を確保した後、再度、録画予約設定を行うようにしていた。
また、週間録画予約を行った場合、毎週、予約番組が録画されるので、録画中にＨＤＤの残容量が不足する場合がある。その場合、録画装置は、消去不可の設定がなされていない未保護の番組データのうち古いものから順に上書き記録を行うか、または、録画自体を中止するようにしていた。
また、ユーザにより、録画メニュー用画面の中の一覧から任意の映像ファイルが選択されると、モニタに録画予約画面を表示して録画予約を可能とし、録画予約が完了し、録画動作モードに移行すると、ＨＤＤ上の選択された領域に映像データの録画を行うとともに、その選択された領域がいっぱいになるまで映像データの録画を行っても録画動作が終了しないときには、ＨＤＤ上の空き領域に映像データを引き続き録画する。さらに、再生メニュー用画面が選択されることにより、再生モードに移行してモニタに再生メニュー用画面を表示し、この再生メニュー用画面の中の一覧から任意の映像ファイルが選択されることにより、その映像ファイルに録画されている映像データを再生するようにして、ハードディスクから任意の映像データを再生する場合、またはハードディスクにすでに録画されている任意の映像データの上に新たな映像データを上書き録画したい場合に、極めて簡単な操作で、ユーザの希望する映像データの再生、またはユーザの希望する映像データへの上書き録画を可能としたものがある（例えば、特許文献１参照）。
また、情報記録エリアの所定記録容量から信号記録の可能な残量を検出し、ハードディスクレコーダ本体のフロントパネルに設けられた上書き記録表示部および容量不足表示部と、予約記録指令を受けたとき、予約記録時間に対して記憶可能容量が不足するときに容量不足表示部を表示動作させ、また、情報記録エリアに放送電波の受信信号を記録中、記録容量不足により情報記録エリアの先頭に戻って上書き記録を開始するときは、容量不足表示部を表示動作させ、かつ、予め設定された優先順位で消去対象ファイルを表示部に表示させた後、消去指令に従ってファイルを選択的に消去しつつ、信号の上書き記録を行うことにより、ハードディスクへの記録時に残容量不足であることや、必要なファイルへの上書き記録がなされること等をユーザに気づき易く表示し、常に適正な記録を可能とするようにしたものがある（例えば、特許文献２参照）。
【特許文献１】実用新案登録第３０８０４３３号公報
【特許文献２】実用新案登録第３０８９１６５号公報
【発明の開示】
【発明が解決しようとする課題】
【０００３】
このように、背景技術では、毎日録画予約や週間録画予約の場合、ＨＤＤの残容量が不足しているとき、録画がされなかったり、録画済みの番組データに上書き記録されてしまうという問題があった。
本発明はこのような状況に鑑みてなされたものであり、ＨＤＤの残容量が不足した場合、すでに録画している番組データを重要度の低いものから順に重要度に応じた方法で整理して残容量を確保し、録画予約した番組の録画の失敗をできるだけ抑制することができるようにするものである。
【課題を解決するための手段】
【０００４】
請求項１に記載の記録装置は、データを所定の記録媒体に記録する記録装置であって、記録媒体にデータを記録可能な残容量を検出する残容量検出手段と、データ毎に重要度を設定する設定手段と、残容量検出手段によって検出された残容量に応じて、記録媒体に記録済みのデータを重要度の低いものから順に整理し、残容量を増加させるデータ整理手段とを備えることを特徴とする。
また、データ整理手段は、設定手段によって設定された重要度に応じてデータを消去または再圧縮するようにすることができる。
また、データ整理手段は、データのうち重要度が最も低いものを消去するようにすることができる。
また、データ整理手段は、データのうち、重要度に基づいて消去はできないが再圧縮が可能なものを再圧縮するようにすることができる。
また、設定手段によって設定された重要度には圧縮レートが含まれ、データ整理手段はデータをデータに対応する圧縮レートに従って再圧縮するようにすることができる。
請求項６に記載の記録方法は、データ整理手段がデータを消去または再圧縮する前または後の少なくともいずれかのタイミングで、データを消去または再圧縮することを通知するための電子メールを所定のメールアドレス宛に送信するメール送信手段をさらに備えることを特徴とする。
また、メール送信手段は、残容量検出手段によって記録媒体の残容量が所定の基準値以下となったとき、記録媒体の残容量が所定の基準値以下となったことを通知するための電子メールを所定のメールアドレス宛に送信するようにすることができる。
請求項８に記載の記録方法は、データを所定の記録媒体に記録する記録方法であって、記録媒体にデータを記録可能な残容量を検出する残容量検出ステップと、データ毎に重要度を設定する設定ステップと、残容量検出ステップにおいて検出された残容量に応じて、記録媒体に記録済みのデータを重要度の低いものから順に整理し、残容量を増加させるデータ整理ステップとを備えることを特徴とする。
請求項９に記載の記録制御プログラムは、データを所定の記録媒体に記録する記録装置を制御する記録制御プログラムであって、記録媒体にデータを記録可能な残容量を検出する残容量検出ステップと、データ毎に重要度を設定する設定ステップと、残容量検出ステップにおいて検出された残容量に応じて、記録媒体に記録済みのデータを重要度の低いものから順に整理し、残容量を増加させるデータ整理ステップとを記録装置に実行させることを特徴とする。
【発明の効果】
【０００５】
本発明の記録装置によれば、記録装置の残容量が不足した場合でも、すでに記録した番組データを予め設定した重要度に応じて整理することによって残容量を確保し、録画予約した番組の録画の失敗を抑制することができる。
【発明を実施するための最良の形態】
【０００６】
図１は、本発明の一実施の形態としてのＨＤＤ（Hard Disk Drive）レコーダ１００の構成例を示すブロック図である。同図に示すように、本実施の形態は、チューナ１０１と、ＭＰＥＧ（Moving Picture Experts Group）圧縮部１０２と、書込部１０３と、ＨＤＤ１０４と、制御部１０５と、読出部１０６と、ＭＰＥＧ伸長部１０７と、合成処理部１０８と、フォントデータ記憶部１０９と、設定データ記憶部１１０と、受信部１１１と、操作部１１２と、通信制御部１１３等から構成されている。
【０００７】
チューナ１０１は、アンテナ１によって受信された電波に対応する受信信号から所定のチャンネルを選局し、そのチャンネルの映像音声信号をＭＰＥＧ圧縮部１０２に供給するようになっている。
【０００８】
ＭＰＥＧ圧縮部１０２は、チューナ１０１より供給された映像音声信号をデジタルの映像音声データに変換した後、例えば、ＭＰＥＧ−２方式による圧縮処理を行い、圧縮した映像音声データを書込部１０３に供給するようになっている。
【０００９】
書込部１０３は、制御部１０５の制御下、ＭＰＥＧ圧縮部１０２より供給された映像音声データをＨＤＤ１０４に供給し、書き込むようになっている。
【００１０】
ＨＤＤ１０４は、図示しない磁気ヘッド、サーボ回路、磁性体を塗布した金属製のディスク等を有し、サーボ回路がディスクを回転駆動しながら、磁気ヘッドが書込部１０３より供給された映像音声データをディスクに記録するようになっている。また、ディスクには、映像音声データの他に管理データも記録されるようになっている。この場合、ディスクの記録エリアを外周側の情報記録エリアと、内周側の管理情報エリアとに分け、情報記録エリアに映像音声データを記録し、管理情報エリアに管理データを記録するようにすることができる。
【００１１】
読出部１０６は、制御部１０５の制御下、ＨＤＤ１０４に記録された映像音声データを読み出し、ＭＰＥＧ伸長部１０７に供給するようになっている。
【００１２】
ＭＰＥＧ伸長部１０７は、読出部１０６より供給された映像音声データに対して伸長処理を行い、伸長処理した映像音声データのうち、映像データを合成処理部１０８に供給し、音声データをアナログの音声信号に変換した後、スピーカ３に供給するようになっている。
【００１３】
合成処理部１０８は、制御部１０５の制御下、ＭＰＥＧ伸長部１０７より供給された映像音声データと、制御部１０５より供給された表示データとを合成した合成映像データを生成し、アナログの合成映像信号に変換した後、表示装置４に出力するようになっている。
【００１４】
フォントデータ記憶部１０９は、各種フォントやカーソル等の各種図形に対応するビットマップイメージデータを記憶し、映像データに重ね合わせるべき文字や図形等に対応するビットマップイメージデータが制御部１０５によって適宜読み出されるようになっている。
【００１５】
設定データ記憶部１１０は、制御部１０５の制御下、後述する各種設定値を記憶するようになっている。操作部１１２は、各種コマンドやデータを入力するときに操作され、入力されたコマンドやデータを制御部１０５に供給するようになっている。
【００１６】
受信部１１１は、リモートコントローラ（リモコン）２より出射された赤外線を受光し、その赤外線に対応するコマンドを制御部１０５に供給するようになっている。
【００１７】
通信制御部１１３は、制御部１０５の制御下、インターネットを介して、後述する各種通知メールを予め設定された所定のメールアドレスに送信するようになっている。
【００１８】
次に、図２のフローチャートを参照して、本実施の形態の動作について説明する。まず、ステップＳ１において、制御部１０５により、ユーザによって操作部１１２またはリモコン２が操作され、予約されている番組の一覧の表示が指示されたか否かが判定される。その結果、予約されている番組の一覧の表示が指示されていないと判定された場合、ステップＳ５に進む。一方、予約されている番組の一覧の表示が指示されていると判定された場合、ステップＳ２に進む。
【００１９】
ステップＳ２においては、制御部１０５により、設定データ記憶部１１０から予約番組を示すデータが読み出され、予約番組一覧を表示するための表示データが生成される。その際、必要に応じてフォントデータ記憶部１０９より表示すべき文字や図形に対応するビットマップイメージデータが読み出される。
【００２０】
また、カーソルに対応するビットマップイメージデータがフォントデータ記憶部１０９より読み出され、予約番組一覧上にカーソルが重ね合わされた表示データが生成され、合成処理部１０８に供給される。リモコン２または操作部１１２の操作によってカーソルの移動が指示されると、移動先の所定の位置にカーソルが重ね合わされた新たな表示データが生成され、合成処理部１０８に供給される。
【００２１】
合成処理部１０８は、制御部１０５より供給された表示データをＭＰＥＧ伸長部１０７より供給された映像データに重ね合わせた合成映像データを生成し、アナログの映像信号に変換した後、表示装置４に供給する。これにより、表示装置４の画面には、チューナ１０１によって選局された所定のチャンネルの映像上に予約番組一覧とカーソルとが重ね合わされた合成映像が表示される。
【００２２】
図３は、表示装置４に表示された予約番組一覧表示画面例を示している。同図に示すように、予約番組一覧表示画面は、各予約番組に付けられたユニークな番号と、各予約番組の番組名（予約名）と、チャンネル番号（ＣＨ）と、日付と、放送開始時刻および放送終了時刻（開始−終了）と、画質（録画モード）と、再圧縮の可否または消去の可否を示す再圧縮と、再圧縮時の圧縮レート（再圧縮レート）と、ＨＤＤ残容量とから構成される。
【００２３】
図３の予約番組一覧表示画面において、画質「ＸＰ」は最高画質モードを表し、画質「ＳＰ」は標準画質モードを表し、画質「ＬＰ」は長時間録画モードを表し、画質「ＥＰ」は長時間録画モードを表している。また、画質の設定をマニュアル設定モードで行う場合には、録画可能な時間の長短に応じて値１．４乃至値９．２で表される所定の画質を設定することができる。値１．４はマニュアル設定モードで設定可能な最低画質を表し、値９．２が最高画質を表している。
【００２４】
次に、ステップＳ３において、ユーザが操作部１１２またはリモコン２を操作してカーソルを移動させ、所望の番組を選択したか否かが制御部１０５によって判定される。その結果、ユーザが所望の番組を選択していないと判定された場合、ステップＳ３の処理が繰り返し実行される。一方、ユーザが所望の番組を選択したと判定された場合、ステップＳ４に進む。
【００２５】
ステップＳ４においては、予約番組設定画面が表示される。この予約番組設定画面では、各番組の重要度（優先度）を設定することができる。この重要度（優先度）は、消去可能であるか否か、消去不可の場合、再圧縮可能であるか否かによって表される。即ち、重要度が最も低い番組に対しては消去可能であることが設定される。その番組よりも重要度が高く、消去不可の場合、再圧縮可能であること、および再圧縮レートが設定される。再圧縮レートは、番組の重要度が低いものほど高く設定され、重要度が高いものほど低く設定される。重要度が最も高く、消去不可かつ再圧縮不可の場合、録画された状態で保護されるべきであることが設定される。
【００２６】
また、消去または再圧縮を行う基準となるＨＤＤ１０４の残容量の値（残容量の基準値）を所定の基準残容量設定画面において設定することができる。この残容量の基準値はユーザが任意に設定することができるが、制御部１０５が所定の方法によって求めた基準値を設定するようにしてもよい。
【００２７】
図４乃至図６は、予約録画番組の各種設定値の設定を行うための予約番組設定画面例を示している。同図に示すように、設定画面は、「番組名（予約名）」、「チャンネル番号（ＣＨ）」、「録画年月日」、「放送開始時刻（開始）」、「放送終了時刻（終了）」、「画質」、「音質」、「ジャンル」、「消去および再圧縮の可否（再圧縮）」、「再圧縮レート」、「メール通知の有無（メール通知）」、「通知先アドレス」、「番組説明」等の各設定項目のタイトルと、各設定項目の内容を入力するための入力欄とから構成されている。
【００２８】
図４に示した予約番組設定画面では、設定項目「予約名」には「Ｋ１ダイナマイト」、設定項目「ＣＨ（チャンネル番号）」には「８」、設定項目「録画年月日」には「２００５／０２／０７（月）」、設定項目「開始」には「１０：００」、設定項目「終了」には「１１：００」、設定項目「画質」には「ＸＰ」、設定項目「音質」には「標準」、設定項目「ジャンル」には「スポーツ」、設定項目「再圧縮」には最も重要度が高く再圧縮不可であることを示す「１（保護）」、設定項目「再圧縮レート」には未設定、設定項目「メール通知」には「する」、設定項目「通知先アドレス」には「taro@sharp.co.jp」、設定項目「番組説明」には「Ｋ１ダイナマイト」がそれぞれ設定されている。従って、この番組は録画後にＨＤＤ１０４の残容量が不足した場合でも、消去や再圧縮がされることはない。
【００２９】
図５に示した予約番組設定画面では、設定項目「予約名」には「ワールドカップ予選大会」、設定項目「ＣＨ（チャンネル番号）」には「１０」、設定項目「録画年月日」には「２００５／０２／０９（水）」、設定項目「開始」には「２１：００」、設定項目「終了」には「２３：００」、設定項目「画質」には「ＸＰ」、設定項目「音質」には「標準」、設定項目「ジャンル」には「スポーツ」、設定項目「再圧縮」には再圧縮可能であることを示す「２（圧縮可）」、設定項目「再圧縮レート」には「ＳＰ」、設定項目「メール通知」には「する」、設定項目「通知先アドレス」には「taro@sharp.co.jp」、設定項目「番組説明」には「ワールドカップアジア最終予選」がそれぞれ設定されている。従って、この番組は録画後にＨＤＤ１０４の残容量が不足した場合には、再圧縮される可能性がある。
【００３０】
図６に示した予約番組設定画面では、設定項目「予約名」には「ＢＳニュース」、設定項目「ＣＨ（チャンネル番号）」には「ＢＳ７」、設定項目「録画年月日」には「２００５／０２／１５（火）」、設定項目「開始」には「１８：００」、設定項目「終了」には「１８：３０」、設定項目「画質」には「ＳＰ」、設定項目「音質」には「標準」、設定項目「ジャンル」には「ニュース」、設定項目「再圧縮」には最も重要度が低く消去可能であることを示す「３（消去可）」、設定項目「再圧縮レート」には未設定、設定項目「メール通知」には「する」、設定項目「通知先アドレス」には「taro@sharp.co.jp」、設定項目「番組説明」には「ＢＳニュース」がそれぞれ設定されている。従って、この番組は録画後にＨＤＤ１０４の残容量が不足した場合には、消去される可能性がある。
【００３１】
ステップＳ４において、予約番組設定画面での各予約番組に関する各種設定値の設定が終了すると、設定値が設定データ記憶部１１０に供給され、記憶された後、ステップＳ１に戻り、ステップＳ１以降の処理が繰り返し実行される。設定データ記憶部１１０は、電源がオフされてもデータが保持される不揮発性メモリ等で構成することができる。或いは、設定値をＨＤＤ１０４に記録することもできる。
【００３２】
一方、ステップＳ１において、予約番組の表示が指示されていないと判定された場合、ステップＳ５に進む。ステップＳ５においては、制御部１０５により、録画予約された予約番組があるか否かが判定される。この予約番組に関するデータは、図４乃至図６等で示した予約番組設定画面において設定した各設定項目のデータ等からなり、設定データ記憶部１１０に記憶される。ステップＳ５において、録画予約された予約番組がないと判定された場合、ステップＳ１に戻り、ステップＳ１以降の処理が繰り返し実行される。一方、録画予約された予約番組があると判定された場合、ステップＳ６に進む。
【００３３】
次に、ステップＳ６において、ＨＤＤ１０４の残容量が設定された所定の基準値未満であるか否かが制御部１０５により判定される。その結果、ＨＤＤ１０４の残容量が基準値未満ではない（基準値以上である）と判定された場合、ステップＳ１に戻り、ステップＳ１以降の処理が繰り返し実行される。一方、ＨＤＤ１０４の残容量が所定の基準値未満であると判定された場合、ＨＤＤレコーダ１００は、図７に示すような残容量不足通知メールを送信する。
【００３４】
即ち、制御部１０５は、ＨＤＤ１０４の残容量が不足していることを表すメッセージデータを生成し、そのメッセージデータと、予め設定されたメールアドレスを通信制御部１１３に供給し、そのメッセージデータをそのメールアドレス宛に送信するよう指令する。このメールアドレスは、予め任意に設定しておくことができる。
【００３５】
通信制御部１１３は、制御部１０５からの指令に基づいて、制御部１０５より供給されたメッセージデータを制御部１０５より供給されたメールアドレス宛にインターネット等のネットワークを介して送信する。
【００３６】
図７に示したように、残量不足通知メールはこの例では、差出人のメールアドレス「○○○○○○＠○○○．○○．ｊｐ」と、件名「ＨＤＤ残容量不足通知の件」とから構成されている。その後、ステップＳ７に進む。
【００３７】
ステップＳ７においては、制御部１０５により、設定データ記憶部１１０に記憶された各予約録画番組の設定項目「再圧縮」の設定内容に基づいて、すでに録画済みの番組のうち、消去可能な番組があるか否かが判定される。設定項目「再圧縮」に、「３（消去可）」が設定されている番組は消去が可能である。
【００３８】
その結果、消去可能な番組がないと判定された場合、ステップＳ１０に進む。一方、消去可能な番組があると判定された場合、ステップＳ８に進む。
【００３９】
ステップＳ８においては、まず、ＨＤＤレコーダ１００は、図８に示すような番組消去予定通知メールを送信する。即ち、制御部１０５は、ＨＤＤ１０４に記録されている番組のうち消去可能であり、かつ最も先に記録されたもの（最も古いもの）を消去する予定であることを表すメッセージデータを生成し、そのメッセージデータと、消去予定の番組に対応して上述した予約番組設定画面において通知先アドレスとして予め設定されたメールアドレスを通信制御部１１３に供給し、そのメッセージデータをそのメールアドレス宛に送信するよう指令する。
【００４０】
通信制御部１１３は、制御部１０５からの指令に基づいて、制御部１０５より供給されたメッセージデータを制御部１０５より供給されたメールアドレス宛にインターネット等のネットワークを介して送信する。
【００４１】
図８に示したように、番組消去予定通知メールはこの例では、差出人のメールアドレス「○○○○○○＠○○○．○○．ｊｐ」と、件名「番組消去予定通知の件」と、本文「２００５／０２／０８（火）にＢＳニュースの番組消去を実施します。」とから構成されている。
【００４２】
その後、制御部１０５の制御により、消去可能な番組の消去が実行される。そのとき、重要度の低いものから順に消去するようにすることができる。いまの場合、「ＢＳニュース」が消去される。
【００４３】
その後、ステップＳ９において、ＨＤＤレコーダ１００は、図９に示すような番組消去実施通知メールを送信する。即ち、制御部１０５は、消去可能な番組を消去したことを表すメッセージデータを生成し、生成したメッセージデータと予め設定されたメールアドレスを通信制御部１１３に供給し、そのメッセージデータをそのメールアドレス宛に送信するよう指令する。
【００４４】
通信制御部１１３は、制御部１０５からの指令に基づいて、制御部１０５より供給されたメッセージデータを制御部１０５より供給されたメールアドレス宛にインターネット等のネットワークを介して送信する。
【００４５】
図９に示したように、番組消去実施通知メールはこの例では、差出人のメールアドレス「○○○○○○＠○○○．○○．ｊｐ」と、件名「番組消去実施完了通知の件」と、本文「２００５／０２／０８（火）にＢＳニュースの番組消去を実施しました。」とから構成されている。その後、ステップＳ１に戻り、ステップＳ１以降の処理が繰り返し実行される。
【００４６】
また、ステップＳ１０においては、制御部１０５により、録画済みの番組の中で、レート変換が可能な番組があるか否か、即ち、録画時よりも低い圧縮レートで再圧縮が可能な番組があるか否かが判定される。上述した予約番組設定画面において、設定項目「再圧縮」に「２（圧縮可）」が設定されている番組は、設定項目「再圧縮レート」に設定された再圧縮レートによる再圧縮が可能である。圧縮レートを下げることにより、ＨＤＤ１０４の空き容量を増やすことができる。
【００４７】
その結果、録画済みの番組の中で、録画時よりも低い圧縮レートで再圧縮が可能な番組がないと判定された場合、ステップＳ１３に進む。一方、録画済みの番組の中で、録画時よりも低い圧縮レートで再圧縮が可能な番組があると判定された場合、ＨＤＤレコーダ１００は、図１０に示すような番組再圧縮予定通知メールを送信する。
【００４８】
即ち、制御部１０５は、ＨＤＤ１０４に記録されている番組のうち再圧縮可能であり、かつ最も先に記録されたもの（最も古いもの）を再圧縮する予定であることを表すメッセージデータを生成し、そのメッセージデータと、再圧縮予定の番組に対応して上述した予約番組設定画面において通知先アドレスとして予め設定されたメールアドレスを通信制御部１１３に供給し、そのメッセージデータをそのメールアドレス宛に送信するよう指令する。
【００４９】
通信制御部１１３は、制御部１０５からの指令に基づいて、制御部１０５より供給されたメッセージデータを制御部１０５より供給されたメールアドレス宛にインターネット等のネットワークを介して送信する。
【００５０】
図１０に示したように、番組再圧縮予定通知メールはこの例では、差出人のメールアドレス「○○○○○○＠○○○．○○．ｊｐ」と、件名「番組再圧縮予定通知の件」と、本文「２００５／０２／０８（火）に世界まる見え！テレビ特捜部の番組再圧縮を実施します。」とから構成されている。その後、ステップＳ１１に進む。
【００５１】
ステップＳ１１においては、制御部１０５は、録画済みの番組の中から、録画時よりも低い圧縮レートで再圧縮が可能な番組の映像音声データを読み出し、ＭＰＥＧ圧縮部１０２に供給するとともに、予め設定されている、録画時よりも低い再圧縮レートで再圧縮するよう指令する。
【００５２】
ＭＰＥＧ圧縮部１０２は、制御部１０５より供給された映像音声データを指示された再圧縮レートで再圧縮し、再圧縮した映像音声データを書込部１０３に供給する。書込部１０３は、ＭＰＥＧ圧縮部１０２より供給された再圧縮された映像音声データをＨＤＤ１０４に記録する。
【００５３】
次に、ステップＳ１２において、ＨＤＤレコーダ１００は、図１１に示すような番組再圧縮実施通知メールを送信する。即ち、制御部１０５は、再圧縮したことを表すメッセージデータを生成し、生成したメッセージデータを通信制御部１１３に供給するとともに、その再圧縮した番組に対応して設定された通知先アドレスを設定データ記憶部１１０から読み出し、通信制御部１１３に供給し、上記メッセージデータを上記通知先アドレス宛に送信するよう指令する。
【００５４】
通信制御部１１３は、制御部１０５より供給された上記テキストデータを上記通知先アドレス宛にインターネット等のネットワークを介して送信する。
【００５５】
図１１に示したように、番組再圧縮実施通知メールはこの例では、差出人のメールアドレス「○○○○○○＠○○○．○○．ｊｐ」と、件名「番組再圧縮実施完了通知の件」と、本文「２００５／０２／０８（火）に世界まる見え！テレビ特捜部の番組再圧縮を実施しました。」とから構成されている。その後、ステップＳ１に戻り、ステップＳ１以降の処理が繰り返し実行される。
【００５６】
また、ステップＳ１０において、録画済みの番組の中で、録画時よりも低い圧縮レートで再圧縮が可能な番組がないと判定された場合、ステップＳ１３に進む。ステップＳ１３においては、ＨＤＤレコーダ１００は、図１２に示すような残容量不足警告通知メールを送信する。
【００５７】
即ち、制御部１０５は、ＨＤＤ１０４の残容量が基準値未満である（残容量不足である）こと、および、消去可能な番組および再圧縮によるレート変換が可能な番組がないことを示すメッセージデータを生成し、そのメッセージデータと、ＨＤＤ１０４の残容量が基準値未満であり、かつ、消去可能な番組および再圧縮が可能な番組がない場合にそのメッセージデータを通知すべき通知先アドレスとを通信制御部１１３に供給し、そのメッセージデータをその通知先アドレス宛に送信するよう指令する。
【００５８】
ＨＤＤ１０４の残容量が基準値未満であり、かつ、消去可能な番組および再圧縮が可能な番組がない場合の通知先アドレスは、予約番組設定画面において、設定項目「再圧縮」に「１（保護）」が設定されている任意の予約番組において、その予約番組の設定項目「通知先アドレス」に設定されている通知先アドレスとしてもよいし、消去可能な番組および再圧縮が可能な番組がない場合の通知先アドレスを別に設定しておいてもよい。
【００５９】
図１２に示したように、残容量不足警告通知メールはこの例では、差出人のメールアドレス「○○○○○○＠○○○．○○．ｊｐ」と、件名「残容量不足警告通知の件」と、本文「ＨＤＤ残容量が○○ＧＢ未満になりました。このままでは予約録画ができません。手動でデータの整理を実施してください。」とから構成されている。
【００６０】
ステップＳ１３における処理が終了すると、ステップＳ１に戻り、ステップＳ１以降の処理が繰り返し実行される。このようにして、ＨＤＤ１０４の残容量の値が基準値以上になるまで、ＨＤＤ１０４に記録済みの番組の消去または再圧縮が行われ、残容量が増加するような処理がなされる。
【００６１】
図１３は、録画済みの番組の一覧を表示する録画済番組一覧画面の例を示している。図１３（ａ）は、予約番組等の録画が行われた結果、ＨＤＤ１０４の残容量が所定の基準値未満となっているときの録画済番組一覧画面を示している。この例では、ＨＤＤ１０４の残容量は１０ギガバイト（ＧＢ）とされている。
【００６２】
ＨＤＤ１０４の残容量の値が基準値（この例では３０ＧＢ）未満であるため、図２のフローチャートを参照して上述した手順に従って、ＨＤＤ１０４の残容量の値が基準値以上となるまで記録済みの番組の消去および再圧縮が行われる。
【００６３】
図１３（ｂ）は、ＨＤＤ１０４の残容量の値が基準値以上となったときの録画済番組一覧画面の例を示している。図１３（ａ）に示した録画済番組一覧画面の各番組のうち、ＮＯ．３、ＮＯ．８の番組がそれぞれ消去され、ＮＯ．２、ＮＯ．５の番組がそれぞれ再圧縮されている。  
【００６４】
ＮＯ．２の番組は、再圧縮により、設定項目「再圧縮レート」に予め設定された再圧縮レート「ＳＰ」に従って再圧縮が行われ、画質が「ＸＰ」から「ＳＰ」に変更されている。そして、設定項目「再圧縮」に「１（保護）」が自動的に設定され、さらに再圧縮することができないようになされる。
【００６５】
ＮＯ．５の番組は、再圧縮により、設定項目「再圧縮レート」に予め設定された再圧縮レート「４．８」に従って再圧縮が行われ、画質が「９．２」から「４．８」に変更されている。そして、設定項目「再圧縮」に「１（保護）」が自動的に設定され、さらに再圧縮することができないようになされる。
【００６６】
このように、ＨＤＤ１０４の残容量の値が所定の基準値未満であるとき、新たに番組が録画記録される前に、録画済みの番組が重要度の低いものから順に消去および再圧縮の対象とされ、ＨＤＤ１０４の残容量が基準値以上となるまで増加させられる。
【００６７】
なお、上記実施の形態においては、すでに録画した番組のうち、再圧縮が可能な番組を再圧縮して圧縮レートを変換し、ＨＤＤ１０４の残容量を増加させるようにしたが、これから録画する番組が再圧縮可能な場合、録画時に設定された再圧縮レートで圧縮して録画することもできる。
【００６８】
また、上記実施の形態においては、重要度の低いものから順に消去および再圧縮を行うようにしたが、重要度が同一の場合、先に録画した番組（録画した日付が古いもの）から順に重要度に応じて消去または再圧縮を行うようにすることができる。
【００６９】
上記実施の形態の構成および動作は例であって、本発明の趣旨を逸脱しない範囲で適宜変更することができることは言うまでもない。
【産業上の利用可能性】
【００７０】
本発明の活用例として、例えば、ＨＤＤレコーダだけでなく、その他の記録媒体に各種データを記録する際にも本発明を適用することができる。
【図面の簡単な説明】
【００７１】
【図１】図１は、本発明の一実施の形態としてのＨＤＤレコーダの構成例を示すブロック図である。
【図２】図１の実施の形態の動作を説明するためのフローチャートである。
【図３】表示装置に表示された予約番組一覧表示画面の例を示す図である。
【図４】予約番組設定画面の例を示す図である。
【図５】予約番組設定画面の他の例を示す図である。
【図６】予約番組設定画面のさらに他の例を示す図である。
【図７】残容量不足通知メールの例を示す図である。
【図８】番組消去予定通知メールの例を示す図である。
【図９】番組消去実施通知メールの例を示す図である。
【図１０】番組再圧縮予定通知メールの例を示す図である。
【図１１】番組再圧縮実施通知メールの例を示す図である。
【図１２】残容量不足警告通知メールの例を示す図である。
【図１３】録画済番組一覧画面の例を示す図である。
【符号の説明】
【００７２】
１  アンテナ
２  リモートコントローラ（リモコン）
３  スピーカ
４  表示装置
１００  ＨＤＤレコーダ
１０１  チューナ
１０２  ＭＰＥＧ圧縮部
１０３  書込部
１０４  ＨＤＤ
１０５  制御部
１０６  読出部
１０７  ＭＰＥＧ伸長部
１０８  合成処理部
１０９  フォントデータ記憶部
１１０  設定データ記憶部
１１１  受信部
１１２  操作部
１１３  通信制御部
【図１】
2007074615.tif 000003
【図２】
2007074615.tif 000004
【図３】
2007074615.tif 000005
【図４】
2007074615.tif 000006
【図５】
2007074615.tif 000007
【図６】
2007074615.tif 000008
【図７】
2007074615.tif 000009
【図８】
2007074615.tif 000010
【図９】
2007074615.tif 000011
【図１０】
2007074615.tif 000012
【図１１】
2007074615.tif 000013
【図１２】
2007074615.tif 000014
【図１３】
2007074615.tif 000015